(57)【特許請求の範囲】
【請求項１】
筐体の開口を開閉するために、筐体に蝶着されるドアに装着されるロックハンドル装置であって、
ドアパネルの前面に露出した状態で当該ドアパネルに固定されるエスカションと、
基端側において前記ドアパネルの前面に平行な第１固定枢軸により前記エスカションに枢支され、先端側がエスカションに対して前方へ引き上げられた非ロック位置とエスカションに対して倒伏したロック位置との間で正逆回転自在で、常時はロック位置に回転付勢されるハンドルと、
一端側において前記第１固定枢軸に平行な第２固定枢軸により前記エスカションに枢支されることにより、係合位置と非係合位置との間を正逆回転自在で、常時係合位置に回転付勢され、他端側において前記第１固定枢軸に平行な受動軸により前記ハンドルに遊動可能に連結され、それによって、前記ハンドルの引き上げ動作に連動して係合位置から非係合位置へ回転可能なラッチ部材と、を具備し、
前記エスカションは、一端側において前記ハンドルを枢支するハンドル枢支部と；他端側においてドアパネルの背面側に通じる貫通孔と；他端側においてドアパネルの背面側に位置して前記ラッチ部材の一端側を枢支するラッチ枢支部とを具備し、
前記ハンドルは、先端側において前記エスカションの貫通孔を貫通してドアパネルの背面側へ突出するように延出し、前記受動軸を挿通させる前後方向の長孔を有する駆動アームを具備し；前記ラッチ部材の受動軸が常時は長孔の後端に配置されるように前記ラッチ部材との相対位置が設定され、
前記ラッチ部材は、ドアが閉鎖位置にあるとき、係合位置において筐体側に固着されたストライカに係合し、非係合位置においてストライカから離脱するように、前記ドアパネルの背面側へ延出するフック部を具備し、
このフック部は、ドアの閉鎖動作時に、前記ストライカに摺接してラッチ部材を非係合位置へ退避回転させた後、ストライカから離脱してラッチ部材を係合位置へ復帰させる摺動面を具備し、
前記ラッチ部材の受動軸は、ラッチ部材の退避回転時に、前記駆動アームの長孔の後端から前端側へ移動することにより、ラッチ部材の退避回転を許容するように構成されることを特徴とする扉のリフトアップ型ロックハンドル装置。
【発明の詳細な説明】
【技術分野】
【０００１】
この発明は、ハンドルを引き上げることにより、筐体側のストライカからラッチを外して、ドアを開放することができるリフトドア等に適用されるリフトアップ型のロックハンドル装置に関する。
【背景技術】
【０００２】
従来、リフトアップ型ハンドル装置として、特許文献１に記載されたものが知られている。このハンドル装置においては、扉の背面側に陥没した凹部を有するケースを扉に固着し、先端部に作動凹部を設けたハンドルをケースの凹部に出没可能に収納し、ハンドルの基端部を枢軸によりケースに枢着する。連動レバーの基端部を枢軸によりケースの側面部に枢着し、連動レバーをバネによって没入方向に回転付勢する。ハンドルの作動凹部に連動レバーの先端部の受動突子を係合させ、連動レバーの基端部に回転ラッチ等のロック部材を接続する。
【先行技術文献】
【特許文献】
【０００３】
【特許文献１】特開平８−２８４４８８号公報
【発明の概要】
【発明が解決しようとする課題】
【０００４】
上記従来のリフトアップ型ハンドル装置においては、連動レバーの基端部に回転ラッチ等の詳細不詳のロック部材が接続される構造であるが、ハンドル−連動レバー−ロック部材の連結構造が比較的複雑で、コスト高となり、また耐久性に欠ける難点がある。
したがって、この出願に係る発明は、構造が簡単で、安価に得られ、耐久性の高いリフトアップ型のロックハンドル装置を提供することを目的としている。
【課題を解決するための手段】
【０００５】
以下、添付図面の符号を参照して説明するが、本発明はこれに限定されるものではない。
上記課題を解決するための、この出願に係る発明のリフトアップ型ロックハンドル装置１は、エスカション２と、ハンドル３と、ラッチ部材４とを具備する。エスカション２は、ドアパネル４１の前面に露出した状態で当該ドアパネル４１に固定され、一端側にハンドル枢支部６、他端側にはドアパネル４１の背面側に通じる貫通孔９を有すると共に、ドアパネル４１の背面側に位置するラッチ枢支部７を有する。ハンドル３は、基端側において第１固定枢軸１１によりエスカション２のハンドル枢支部６に枢支され、先端側がエスカション２に対して前方へ引き上げられた非ロック位置とエスカション２に対して倒伏したロック位置との間で正逆回転自在で、常時はロック位置に回転付勢される。ラッチ部材４は、一端側において第２固定枢軸１３によりエスカション２のラッチ枢支部７に枢支されることにより、係合位置と非係合位置との間を正逆回転自在で、常時係合位置に回転付勢され、他端側において受動軸１５によりハンドル３に遊動可能に連結され、それによって、ハンドル３の引き上げ動作に連動して係合位置から非係合位置へ回転可能である。ハンドル３はさらに、先端側に駆動アーム１６を具備し、これがエスカション２の貫通孔９を貫通してドアパネル４１の背面側へ突出する。駆動アーム１６に、受動軸１５を挿通させる前後方向の長孔１７が形成される。ハンドル３は、ラッチ部材４の受動軸１５が常時は長孔１７の後端に配置されるように、ラッチ部材４との相対位置が設定される。ラッチ部材４は、ドアパネル４１の背面側へ延出するフック部１８を具備し、ドアが閉鎖位置にあるとき、係合位置においてこのフック部１８がストライカ４３に係合し、非係合位置においてストライカ４３から離脱する。フック部１８は、ドアの閉鎖動作時に、ストライカ４３に摺接してラッチ部材４を非係合位置へ退避回転させた後、ストライカ４３から離脱してラッチ部材４を係合位置へ復帰させる摺動面１９を具備する。ラッチ部材４の受動軸１５は、ラッチ部材４の退避回転時に、駆動アーム１６の長孔１７の後端から前端側へ移動することにより、ラッチ部材４の退避回転を許容する。
【発明の効果】
【０００６】
この出願に係る発明によれば、構造が簡単で、安価に得られ、耐久性の高いリフトアップ型のロックハンドル装置を提供することができる。
【図面の簡単な説明】
【０００７】
【図１】本発明の一実施例に係るリフトアップ型ロックハンドル装置の正面図である。
【図２】図１のロックハンドル装置の背面図である。
【図３】図１のロックハンドル装置の側面図である。
【図４】図２におけるＩＶ−ＩＶ断面図であり、ドアは閉鎖位置にある。
【図５】ドアが閉鎖途上位置にあるときの図４の断面図である。
【発明を実施するための形態】
【０００８】
図面を参照してこの発明の実施の形態を説明する。
ロックハンドル装置１は、筐体の開口を開閉するために、筐体にヒンジで接続されるドアに装着されるもので、ドアパネル４１に固着されるエスカション２と、エスカション２の一端側に枢着されるハンドル３と、エスカション２の他端側に枢着されるラッチ部材４とを具備する。
【０００９】
エスカション２は、周縁のフランジ部５と、一端側のハンドル枢支部６と、他端側のラッチ枢支部７と、両枢支部間の膨出部８とを有し、枢支部６，７、膨出部８が、ドアパネル４１の開口４２内に嵌め込まれ、フランジ部５がドアパネル４１の前面に当接するように取り付けられる。したがって、枢支部６，７、膨出部８は、開口４２をとおして、ドアパネル４１の背面側に配置される。また、エスカション２は、他端側に、ドアパネル４１の背面側に通じる貫通孔９を有する。膨出部８は、前面側に、手指を挿入するための凹部１０を形成する。
【００１０】
ハンドル３は、基端側においてドアパネル４１に平行な第１固定枢軸１１によりエスカション２のハンドル枢支部６に枢支され、凹部１０を横断するように伸びる。したがって、ハンドル３は、先端側がエスカション２に対して前方へ引き上げられた非ロック位置（図４における仮想線）とエスカション２に対して倒伏したロック位置との間で枢軸１１を中心に正逆回転自在で、常時は、ばね１２により、ロック位置に回転付勢される。
【００１１】
ラッチ部材４は、一端側において第１固定枢軸１１と平行の第２固定枢軸１３により、エスカション２のラッチ枢支部７に枢支される。これにより、ラッチ部材４は、図４に実線で示す係合位置と、仮想線で示す非係合位置との間を正逆回転自在であり、ばね１４により、常時係合位置に回転付勢される。ラッチ部材４の他端側は、受動軸１５により、ハンドル３に所定範囲で遊動可能に連結される。これによって、ラッチ部材４は、ハンドル３の引き上げ動作に連動して、係合位置から非係合位置へ回転可能である。
【００１２】
ハンドル３はさらに、先端側に駆動アーム１６を具備する。し、駆動アーム１６は、エスカション２の貫通孔９を貫通してドアパネル４１の背面側へ突出する。駆動アーム１６には、受動軸１５を挿通させる前後方向の長孔１７が形成される。ハンドル３は、ラッチ部材４の受動軸１５が、常時は長孔１７の後方端に配置されるように、ラッチ部材４との相対位置が設定される。
ラッチ部材４は、ドアパネル４１の背面側へ延出するフック部１８を具備する。フック部１８は、ドアが閉鎖位置にあるとき、図４に実線で示す係合位置においてストライカ４３に係合し、仮想線で示す非係合位置においてストライカ４３から離脱する。フック部１８は摺動面１９を具備する。摺動面１９は、図５に示すドアの閉鎖途上で、ストライカ１３に摺接し、ラッチ部材４を非係合位置へ退避回転（時計方向）させた後、ストライカから離脱してラッチ部材４を図４に示す係合位置へ復帰させる。ラッチ部材４の受動軸１５は、ラッチ部材４の退避回転時に、駆動アーム１６の長孔１７の後端から前端側へ移動することにより、ラッチ部材４の退避回転を許容する。
【００１３】
閉鎖位置にあるドアを開くときは、ハンドル３を握って、その先端側を前方へ引き上げると、図４に仮想線で示すように、ハンドル３が軸１１を中心に時計方向へ回転し、受動軸１５を介してラッチ部材４が軸１３を中心に時計方向へ回転する。これによりフック部１８が筐体側のストライカ４３から外れると同時に、ハンドルの引き上げにより、ドアが開放される。ドアを閉じるときは、ハンドル３を握って、ドアを閉鎖方向（後方）へ押し込むと、図５に示すように、ラッチ部材４の摺動面１９が、ストライカ１３に摺接し、ラッチ部材４を軸１３を中心に時計方向へ退避回転させた後、ストライカ４３から離脱する。摺動面１９が、ストライカ１３から離脱すると、ラッチ部材４がばね１８で反時計方向へ回転し、自動的にフック部１８がストライカ４３に掛かって、ドアをロックする。
【符号の説明】
【００１４】
１    ロックハンドル装置
２    エスカション
３    ハンドル
４    ラッチ部材
５    フランジ部
６    ハンドル枢支部
７    ラッチ枢支部
８    膨出部
９    貫通孔
１０  凹部
１１  第１固定枢軸
１２  ばね
１３  第２固定枢軸
１４  ばね
１５  受動軸
１６  駆動アーム
１７  長孔
１８  フック部
１９  摺動面
４１  ドアパネル
４２  開口
４３  ストライカ
【図１】
0005320425.tif 000002
【図２】
0005320425.tif 000003
【図３】
0005320425.tif 000004
【図４】
0005320425.tif 000005
【図５】
0005320425.tif 000006